(57)【要約】  【課題】何らかの要因で除霜水が露受皿に流下せずに洩れた場合、露受皿が載置された内箱形状が平坦面で排水経路が無いために平坦面上に拡散され、冷気で冷やされた後に氷となって付着したり、除霜水が内箱と露受皿との隙間を通り、さらに排水管が貫通している内箱との隙間から発泡断熱材に含水し、断熱効率が低下するという課題を有していた。  【解決手段】本発明の冷蔵庫は露受皿４０を載置した内箱３３の両壁側に側部排水溝５０を形成し、更に内箱３３の貫通穴４５周りの平坦面４７とその外側の段差４８で高低差があるために、露受皿４０に洩れた除霜水は貫通穴４５へ浸入することなく、発泡断熱材側への含水を防ぎ、断熱効率の低下を防ぐことができる。【選択図】図３
2008170037.tif 000002
【特許請求の範囲】
【請求項１】
内箱の庫内側下方に冷却器の除霜水を受ける露受皿と、前記露受皿の中央部近傍に前記除霜水を庫外へ排水する管状の排水路と、前記内箱に前記排水路が貫通する貫通穴と、前記内箱の両側壁近傍に排水溝を備え、前記内箱の貫通穴周囲の面が、前記面外側の周辺面より高くしたことを特徴とする冷蔵庫。
【請求項２】
前記露受皿裏面に水切りリブを設けたことを特徴とする請求項１に記載の冷蔵庫。
【請求項３】
前記冷却器を固定した板状の側壁部材を鉛直方向に前記内箱に固定し、前記側壁部材の下端面が、前記露受皿の内側方向に延出していることを特徴とする請求項１または２に記載の冷蔵庫。
【請求項４】
前記露受皿の外周に当設する前記内箱の一部が、前記露受皿の内側方向に延出していることを特徴とする請求項１から３のいずれか一項に記載の冷蔵庫。
【請求項５】
前記内箱の貫通穴周囲の面の外側に排水溝を形成したことを特徴とする請求項１から４のいずれか一項に記載の冷蔵庫。
【発明の詳細な説明】
【技術分野】
【０００１】
本発明は、冷蔵庫の冷却器における除霜水の排水構造に関するものである。
【背景技術】
【０００２】
従来、この種の冷蔵庫は、露受皿が載置される内箱の設置面が平坦になっている（例えば、特許文献１参照）。
【０００３】
以下、図面を参照しながら、上記従来の冷蔵庫について説明する。
【０００４】
図４は、特許文献１に記載された従来の冷蔵庫１を示す側断面図と、露受皿部分の構成を示す分解斜視図であり、内箱２と外箱３と、これらの両者間に充填された発泡断熱材４とからなる断熱箱体の庫内下方には、冷却器５を設け、同冷却器５の背面に除霜用コードヒータ６を配置すると共に、冷却器５の下方に除霜水を受ける露受皿７を設けている。露受皿７は内箱２の平坦面に載置されている。
【０００５】
以上のように構成された冷蔵庫において、冷却器５に付着した霜が除霜用コードヒータ６で加熱され、除霜時に出た除霜水は、露受皿７に流下する構成になっている。さらに、露受皿７に流下した除霜水は、露受皿７の中央部に設けられた排水口８を通して庫外の蒸発皿（図示せず）に放出され、圧縮機等（図示せず）の発熱を利用して蒸発させるようにしている。
【特許文献１】特開２００２−３４０４６８号公報
【発明の開示】
【発明が解決しようとする課題】
【０００６】
しかしながら、上記従来の冷蔵庫では、何らかの要因で除霜水が露受皿に流下せずに洩れた場合、露受皿が載置された内箱形状が平坦面で排水経路が無いために平坦面上に拡散され、冷気で冷やされた後に氷となって付着したり、除霜水が内箱と露受皿との隙間を通り、さらに排水口と内箱との隙間から発泡断熱材に含水し、断熱効率が低下するという課題を有していた。
【０００７】
本発明は上記従来の課題を解決するものであり、除霜時に発生した除霜水が内箱内に浸水せずに確実に庫外に排水される構造とした冷蔵庫を提供することを目的とする。
【課題を解決するための手段】
【０００８】
上記従来の課題を解決するために、本発明の冷蔵庫は、内箱の両壁側に排水溝を形成し、更に露受皿中央部の内箱の貫通穴周囲の高さがその外側の部分より高くなるよう段差を設けたものである。
【０００９】
これによって、庫内に浸水した除霜水は両側壁に形成された排水溝に導かれ、さらに、内箱の貫通穴近傍の除霜水は外側方向に導かれるために、庫内に拡散することなく排水できる。
【００１０】
また、本発明の冷蔵庫は、露受皿外周の内箱あるいは側壁部材を露受皿側に延出させたものである。
【００１１】
これによって、内箱あるいは側壁部材の着霜によって生じた除霜水が確実に露受皿内に滴下するために庫内に洩れることなく排水できる。
【発明の効果】
【００１２】
本発明の冷蔵庫は、除霜水が発泡断熱材側に洩れることなく確実に庫外に排水することができ、水の浸入による断熱効果の低下を防止することができる。
【発明を実施するための最良の形態】
【００１３】
請求項１に記載の発明は、内箱の庫内側下方に冷却器の除霜水を受ける露受皿と、前記露受皿の中央部近傍に前記除霜水を庫外へ排水する管状の排水路と、前記内箱に前記配水路が貫通する貫通穴と、前記内箱の両側壁近傍に排水溝を備え、前記内箱の貫通穴周囲の面が、前記面外側の周辺面より高くしたことにより、庫内に浸水した除霜水は両側壁に形成された排水溝に導かれ、さらに、露受皿中央部の内箱貫通穴の周囲の面が、その外側の周辺面より高く形成されているために、貫通穴近傍の除霜水は外側方向に導かれ、発泡断熱材側に洩れることなく確実に排水できる。
【００１４】
請求項２に記載の発明は、請求項１に記載の発明において、露受皿裏面に水切りリブを設けていることにより、露受皿の裏側に流れ込んだ除霜水は水切りリブを伝って内箱に設けられた排水溝へ排水できる。
【００１５】
請求項３に記載の発明は、請求項１または２に記載の発明において、前記冷却器を固定した板状の側壁部材を鉛直方向に前記内箱に固定し、前記側壁部材の下端面が、前記露受皿の内側方向に延出しているため、側壁部材に付着した除霜水が露受皿の外側に洩れることなく確実に露受皿へ滴下する。
【００１６】
請求項４に記載の発明は、請求項１から３のいずれか一項に記載の発明において、露受皿の外周に当設する内箱の一部が、前記露受皿の内側方向に延出していることにより、内箱に付着した除霜水が内箱を伝って露受皿に流れ落ち、庫内への洩れが防止できる。
【００１７】
請求項５に記載の発明は、請求項１から４のいずれか一項に記載の発明において、内箱の貫通穴周囲の面の外側に排水溝を形成したことにより、貫通穴周囲の面の外側に流れ込んだ除霜水が排水溝を伝って庫外に排水されるため、発泡断熱材側への洩れを防止できる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の断面図であり、図２は同実施の形態の露受皿と内箱の正面断面図であり、図３は、同実施の形態の露受皿部分の組立構成を示す分解斜視図である。
【００２０】
図１において、３０は冷蔵庫本体であって、３１は断熱箱体を形成する外箱であり、３２は充填された発泡断熱材であり、３３は冷蔵庫本体３０の内壁を形成する内箱である。冷蔵室３４の下部には冷凍室３５があり、断熱仕切壁３６で仕切られている。３７は冷凍室の後方に配置される冷却器室であり、冷却器室３７には、冷却器３８、冷却器３８の下方に除霜ヒーター３９が収納され、その下方に冷却器３８の除霜ヒーター３９による除霜水を受ける露受皿４０が設けられ、露受皿４０の下方には、水受け皿４１が設けられている。また、冷却器３８の後方には冷却器３８を保持している側壁部材４２が設けられている。
【００２１】
そして、露受皿４０の中央部近傍に除霜水を庫外へ排水するための管状の排水路４６を備え、排水路４６に対向した内箱３３には貫通穴４５を有し、貫通穴４５を形成する平坦面４７は、その外周面より段差４８を形成して高く位置している。
【００２２】
また、露受皿４０の裏面には内箱との間に所定の空間を形成するための複数の水切りリブ４４を一体に形成している。
【００２３】
そして、冷却器３８および下方に除霜ヒーター３９を固定した板状の側壁部材４２を鉛直方向に内箱３３に設けた開口部（図示せず）に発泡断熱材充填前に内箱に固定し、前記側壁部材の下端面が、前記露受皿の内側方向に延出するように配置している。
【００２４】
また、露受皿４０の外周に当設する内箱３３の一部が、前記露受皿の外周上面から内側方向に位置するように延出部５１を設けている。
【００２５】
また、内箱３３の貫通穴４５の周囲の面の外側に前方に向かって傾斜した排水溝４６を設けている。
【００２６】
また、内箱３３の両側壁近傍には前方に向かって傾斜した側部排水溝５０を一体成形している。
【００２７】
以上のように構成された冷蔵庫について、以下その動作、作用を説明する。
【００２８】
冷却器３８についた霜は、一定時間ごとに除霜ヒーター３９を通電させて溶かされ、冷却器３８から落下してくる除霜水となり、露受皿４０に流下し、露受け皿４０の中央の排水口から水受け皿４１へと流れ、庫外に排水される。冷却器３８の後方に設けられた側壁部材４２は露受皿４０の内側に延出して配置し、露受皿４０の左右に当設する内箱３３は露受皿４０の内側に延出して延出部５１を設けているため、側壁部材４２および内箱３３を伝って流れる除霜水は露受皿４０に確実に滴下する。何らかの要因で除霜水が露受皿４０の下面に流れ込んだ場合でも、露受皿４０が載置された内箱３３の両壁側に設けられた凹状の側部排水溝５０により庫内側に流れ、露受皿４０の近傍に残水しない。
【００２９】
また、露受皿４０の中央部近傍には、内箱３３に設けられた貫通穴４５を貫通するように管状の排水路４６が形成され、貫通穴４５の周囲の平坦部４７は、その外側の段差４８により高い位置に構成されているので、何らかの要因で除霜水が露受皿４０の下面中央付近に流れ込んだ場合でも、除霜水が貫通穴４５から発泡断熱材３２側に侵入しない。
【００３０】
さらに段差４８により形成される排水溝４９により、貫通穴４５周りの除霜水は排水溝４９から庫内に流れ除霜水が発泡断熱材３２側に侵入せず、断熱効果の低下を確実に防げる。
【００３１】
このため、貫通穴４５周りの隙間を防ぐシール材等を使用する必要なく、露受皿４０と内箱３３との形状で排水構造の向上を図ることができ、組立作業性の向上および部品コストの削減につながる。
【００３２】
また、露受皿４０の裏側に水切りリブ４４を一体に設けており、露受皿４０の裏側に流れ込んだ除霜水は、水切りリブ４４を伝って内箱３３に設けられた排水溝４９へと流れるため、露受皿裏面に付着した除霜水を効率よく排水できる。また、露受皿４０自身の強度を高めることができる。
【００３３】
なお、本実施の形態では、外周面より段差を形成して高く位置する貫通穴４５形成面は平坦面で説明したが、貫通穴４５を高く位置できれば平面に限定するものでなく、曲面等で形成してもよい。
【産業上の利用可能性】
【００３４】
以上のように、本発明にかかる冷蔵庫は、簡単な構造で除霜水の排水構造の向上を図ることができるため、除霜水の排水構造を有する類似機器にも適用できる。
【図面の簡単な説明】
【００３５】
【図１】本発明による冷蔵庫の実施の形態１における冷蔵庫の断面図
【図２】本発明による冷蔵庫の実施の形態１における露受皿と内箱の正面断面図
【図３】本発明による冷蔵庫の実施の形態１における露受皿部分の組立構成を示す分解斜視図
【図４】（ａ）従来の冷蔵庫の側断面図（ｂ）従来の冷蔵庫の分解斜視図
【符号の説明】
【００３６】
３３  内箱
３８  冷却器
４０  露受皿
４２  側壁部材
４４  水切りリブ
４５  貫通穴
４６  排水路
４７  平坦面
４９  排水溝
５０  側部排水溝
５１  延出部
【図１】
2008170037.tif 000003
【図２】
2008170037.tif 000004
【図３】
2008170037.tif 000005
【図４】
2008170037.tif 000006